(57)【要約】【課題】患者の診療と子供の予防接種の予約をほぼ同時に予約を行う。【解決手段】患者端末とサーバーと医師端末をネットワークで接続し、患者・子供の疾病の診療と子供の予防接種の予約をほぼ同時に診療予約を行い、患者の疾病が流行性の場合は子供に伝染しないように早く治療を行う。【選択図】  図２
2015011606.tif 000002
【特許請求の範囲】
【請求項１】
患者が使用する患者端末と、前記患者端末が入力するデータを蓄積するサーバーと、医師が使用する医師端末とがネットワークを介して接続されている医療予約データ通信システムであって、前記患者が前記患者端末を操作して患者・子供の診察の予約と前記患者の子供の予防接種の予約を、前記サーバーに送信して行う送信手段と、前記サーバーは、前記患者・子供の診療予約の受付をおこない、前記患者の子供の予防接種の予約を予防接種適正期間内の適当な日に決定し、さらに前記サーバーには流行している病気名、緊急診療を要する病気名が入力されて記憶されており、その病気名を考慮して前記患者・子供を診療する日時を決定すべく前記患者端末に送信する診療予約データ通信システム。
【請求項２】
前記サーバーは、前記子供の予防接種の種類と時期を前記患者端末に送信する請求項１に記載の診療予約データ通信システム。
【発明の詳細な説明】
【技術分野】
【０００１】
本発明は、患者本人と患者の家族の診療予約を、通信ネットワークを介してほぼ同
時に行う診療予約データ通信システムに関する。
【背景技術】
【０００２】
従来、患者に対する治療計画をクリニカルパスといい、一つのクリニカルパスには、検査や手術といった複数の医療行為が含まれていることが多い。このクリニカルパスの作成を支援するシステムが提案されている。
【０００３】
例えば、特許文献１において、複数の患者に対する治療計画を情報処理装置に行わせるプログラムであって、医師によって入力された対象患者の病名と治療開始日とに基づいて、病名毎に診療手順を対応させた治療手順マスターテーブルから該対象患者の病名に対応する前記治療手順を取得して、予約を必要とする医療行為の予約日を前記複数の患者間で調整することによって、所定日数の範囲内で前記治療計画を行う治療計画段階を実行させるプログラムにより達成される。
【先行技術文献】
【特許文献】
【０００４】
【特許文献１】特許２００８−７７３１４号公報
【発明の概要】
【発明が解決しようとする課題】
【０００５】
以上に述べたプログラムは、複数の患者の治療計画であるが、患者の治療と患者の子供の治療および予防接種についての予約のようについては考慮されていない。また予防接種の場合は、子供は抵抗力の弱いので流行性の病気の患者とは隔離しても安心できる状態で予防接種を受けさせる必要がある。
【０００６】
本発明は、このような従来の構成が有していた問題を解決しようとするものであり、診療予約データ通信システムを提供することを目的とするものである。
【課題を解決するための手段】
【０００７】
本発明の請求項１は、患者が使用する患者端末と、前記患者端末が入力するデータを蓄積するサーバーと、医師が使用する医師端末とがネットワークを介して接続されている医療予約データ通信システムであって、前記患者が前記患者端末を操作して患者・子供の診察の予約と前記患者の子供の予防接種の予約を、前記サーバーに送信して行う送信手段と、前記サーバーは、前記患者・子供の診療予約の受付をおこない、前記患者の子供の予防接種の予約を予防接種適正期間内の適当な日に決定し、さらに前記サーバーには流行している病気名、緊急診療を要する病気名が入力されて記憶されており、その病気名を考慮して前記患者・子供を診療する日時を決定すべく前記患者端末に送信する診療予約データ通信システムを提供するものである。
【０００８】
請求項２は、前記サーバーは、前記子供の予防接種の種類と時期を前記患者端末に送信する請求項１に記載の診療予約データ通信システムを提供するものである。
【発明の効果】
【０００９】
上述したように、本発明の診療予約データ通信システムは、患者および患者の子供の診療をほぼ同時に予約でき、さらに患者が流行性のある疾病の場合は、子供に伝染しないように優先的に早く診療して治療するので体力的に弱い子供には優位である。さらに、予防接種期間が設定されているのでその期間の適当な日に予防接種を行うことができる。
【図面の簡単な説明】
【００１０】
【図１】本発明の診療予約データ通信システムにおける患者端末と、サーバーと、医師端末との関係を示すブロック図
【図２】本発明の診療予約データ通信システムの患者端末の入力画面の一例を示す。
【図３】本発明の診療予約データ通信システムの作動を示すフローチャート
【図４】本発明の診療予約データ通信システムの患者端末のサーバーから送信された診療予定日の画面の一例をしめす
【発明を実施するための形態】
【００１１】
図１は本発明の診療予約データ通信システムにおける患者端末と、サーバーと、医師端末との関係を示すブロック図である。
【００１２】
１は、患者が操作する患者端末、２はサーバー、３は、医師が操作する医師端末を示し、患者端末１の表示部で表示された質問形式の問診情報に対して入力した問診回答をサーバー２に送り、サーバー２は前記問診回答を分析した結果を医師端末3に送信する。なお、問診情報はあらかじめ患者の年齢、疾病に応じてそれぞれ異なる質問でもよい。
【００１３】
患者端末１は、サーバー２から送られ、送受信部１Ｓで受信した問診情報を表示する表示部１Ｄ、表示部１Ｄで表示された質問形式の問診情報に対してキーボードのような入力部１Ｉで入力し、問診回答を行って記憶する記憶部１Ｍ、記憶部１Ｍで記憶した問診回答を送受信部１Ｓによりサーバー２に送信する、これらの送受信部１Ｓ、表示部１Ｄ、入力部１Ｉ、記憶部１Ｍ、後述のサーバー２からの分析情報の解説をプリントする別設のプリンター１Ｐの動作を制御する１Ｃを有する。
【００１４】
ここで入力部１Ｉには、患者本人と患者の子供についても入力可能で、その場合は患者本人だけか、そうでないとすれば子供の数に応じた画面数が用意され、図２で示す。
【００１５】
サーバー２は、患者端末１の送信部１Ｓより送られた問診回答を、送受信部２Ｓを介して記憶部２Ｍで記憶し、分析部２Ａにより問診回答を分析して分析情報を送受信部２Ｓより医師端末２に送信する。制御部２Ｃは送受信部２Ｓ，記憶部２Ｍ、分析部２Ａの動作を制御すると共に、分析情報の解説を患者が診察を受ける前に読めるように、患者のその疾病に関する病歴、患者または付き添い者の理解度に応じて複数の種類の解説を作成する。例えばその疾病が初めての場合は難解なことを初めから読んでも理解できない可能性があるので簡単な解説を提供する。また診察までの待合い時間が短いときも詳細な解説はその待合い時間内に読むことができないと思われるので簡単な解説を提供する。さらに解説は、診察前に是非読まなくてはならない必須項目をもうけ、例えば四角で囲むとか、色を変えて示すなどして読む際に注意を喚起する。
【００１６】
医師端末３は、送受信部３Ｓを介して記憶部３Ｍにサーバー２で分析した分析情報を記憶し、表示部３Ｄに表示する。それに対して医師は入力部３Ｉに施療情報を入力し、送受信部３Ｓを介してサーバー２に送信する。
【００１７】
図２は、本発明の診療予約データ通信システムの患者端末の画面の一例を示す。
【００１８】
患者端末１の画面１Ｄには問診画面として患者名が入力されると、ＩＤを持っていればＩＤを入力し、以っていなければここで新たにＩＤを取得する。ここでは、あらかじめ用意された問診項目に対して、Ｙｅｓ、Ｎｏのそれぞれの略Ｙ、Ｎにチェックし、診療および予防接種の希望日があるときは「診療・予防接種希望日」の欄に記入する。またここでは問診画面の中に各項目の問いに対してＹ、Ｎで応えたがこのほかに特記項目として記入できるように設けてもよい。
【００１９】
ここで診療を受けるのは患者だけの場合は、「続くか？」の問いに対してＮをチェックして終了する。
【００２０】
しかし、子供の診療または予防接種の予約をするときは、「続くか？」の問いに対してＹをチェックすると新しい問診画面が表示されて、各問診項目に対して回答する。終えるときは、「続くか？」の問いに対してＮをチェックして終了する。
【００２１】
図３は、本発明の診療予約データ通信システムの作動を示すフローチャートを示す。
【００２２】
Ｓ１で、サーバー２は、あらかじめ疾病について緊急診療を要するのか、流行性のある疾病か、または一般的な疾病であるのかの情報を記憶する。また複数の患者の診療日時データを記憶する。
【００２３】
Ｓ２で、図２に示したように、問診画面に、患者・子供の名前、問診項目を入力し、患者・子供の診療、予防接種希望日時をサーバーと通信する。
【００２４】
Ｓ３でサーバー２から他の患者の診療日を患者端末１に診療日時、予防接種日時の状態を送信する（図４）とともに、当該患者の流行性の疾病の場合は子供に伝染しないようにできるだけ早く治療するような日を決めて送信する。
【００２５】
Ｓ４で、患者端末１の予約希望日とサーバー２の診療日時情報が一致すればＳ５に進むが、一致しないときは、Ｓ２に戻って患者端末１から診療希望日、予防接種希望日を送信し、サーバー２からの情報と一致するまで続く。
【００２６】
サーバー２と患者端末の希望日が一致すればＳ５に進み、診療、予防接種日を決定し、Ｓ６に進み、医師端末３に患者の名前、子供の名前、診療、予防接種日時を送信する。
【００２７】
Ｓ７で、医師端末３から患者名、診療、予防接種日時を受信したことをサーバー２に送信し、終了する。
【００２８】
図４は、本発明の診療予約データ通信システムの患者端末のサーバー２から送信された
診療予定日の画面の一例をしめす。
【００２９】
各日付における診療予定日の状況を示している。１００％に対してどのくらい患者が診療を予定しているかが分かる。
【符号の説明】
【００３０】
１・・・・・・患者端末
２・・・・・・サーバー
３・・・・・・医師端末
【図１】
2015011606.tif 000003
【図２】
2015011606.tif 000004
【図３】
2015011606.tif 000005
【図４】
2015011606.tif 000006